(57)【要約】【課題】記録媒体に録画した番組を再生する際の処理負担を軽減できるようにした放送受信装置およびそのような処理負担を軽減できるようにするための番組の記録再生方法を提供する。【解決手段】デジタル放送受信装置１１は、放送波から所望の番組データを受信するチューナと、チューナにより受信した番組データを自装置固有の装置コードと関連付けて記録媒体に記録させる記録制御手段と、記録媒体に記録されている番組データを用いて番組を再生する番組再生手段と、番組再生手段が番組を再生する際に、番組データとともにその番組データに関連付けられている装置コードを記録媒体から読取る読取手段と、その読取手段が記録媒体から読取った読取装置コードを装置コードと比較して、番組データについての番組再生手段による再生可否を判定する判定手段とを有している。【選択図】図３
2009055555.tif 000002
【特許請求の範囲】
【請求項１】
放送波から所望の番組データを受信するチューナと、
前記チューナにより受信した前記番組データを自装置固有の装置コードと関連付けて記録媒体に記録させる記録制御手段と、
前記記録媒体に記録されている番組データを用いて番組を再生する番組再生手段と、
前記番組再生手段が前記番組を再生する際に、前記番組データとともに該番組データに関連付けられている前記装置コードを前記記録媒体から読取る読取手段と、
該読取手段が前記記録媒体から読取った読取装置コードを前記装置コードと比較して、前記番組データについての前記番組再生手段による再生可否を判定する判定手段とを有することを特徴とする放送受信装置。
【請求項２】
前記装置コードを記憶する装置コード記憶手段を更に有し、
前記判定手段は、前記読取装置コードを前記装置コード記憶手段に記憶されている前記装置コードと比較して前記再生可否を判定することを特徴とする請求項１記載の放送受信装置。
【請求項３】
前記判定手段の判定結果が前記番組データについての前記再生不可を示すときに、該再生不可の理由に応じたエラーコードを生成するエラーコード生成手段を更に有することを特徴とする請求項１または２記載の放送受信装置。
【請求項４】
前記エラーコード生成手段は、前記判定手段の判定結果が前記読取装置コードと前記装置コード記憶手段に記憶されている前記装置コードとの不一致を示すときは、前記放送波から前記番組データを受信した装置と前記番組を再生する装置が相違する装置相違を示すようにして前記エラーコードを生成することを特徴とする請求項３記載の放送受信装置。
【請求項５】
前記番組データを暗号化する暗号化手段を更に有し、
前記記録制御手段は、前記暗号化手段により暗号化された暗号化番組データを前記装置コードと関連付けて前記記録媒体に記録させることを特徴とする請求項１〜４のいずれか一項記載の放送受信装置。
【請求項６】
前記番組データを用いて映像を表示する映像表示手段を更に有することを特徴とする請求項１〜５のいずれか一項記載の放送受信装置。
【請求項７】
放送波から所望の番組データを受信するチューナと、記録媒体に記録されている番組データを用いて番組を再生する番組再生手段とを備えた放送受信装置に適用される番組の記録再生方法であって、
前記チューナにより受信した番組データを自装置固有の装置コードと関連付けて前記記録媒体に記録させ、
前記番組再生手段が前記番組を再生する際に、前記番組データとともに該番組データに関連付けられている前記装置コードを前記記録媒体から読取り、
前記記録媒体から読取った読取装置コードを前記装置コードと比較して、前記番組データについての前記番組再生手段による再生可否を判定することを特徴とする番組の記録再生方法。
【発明の詳細な説明】
【技術分野】
【０００１】
本発明は、地上放送、衛星放送等のテレビ放送の受信手段を備えた放送受信装置およびその放送受信装置に適用される番組の記録再生方法に関する。
【背景技術】
【０００２】
従来、地上放送、衛星放送等のテレビ放送の受信手段を備えた放送受信装置は様々なタイプのものが実用化されている。近年の放送受信装置は従来のアナログ放送に加えてデジタル放送の放送波を受信し、受信した放送波から取り出した映像信号を用いて番組の映像を表示するデジタル放送に対応した装置が普及している。
【０００３】
ところで、従来の放送受信装置は、ハードディスクやＤＶＤ−ＲＡＭ、ＤＶＤ−Ｒ等のディスク状の記録媒体を用いてデータを記録するディスクレコーダ（例えば、ハードディスク装置など）を接続することによって、映像データを記録したり、記録した映像データを用いて映像を再生することも可能となっている。
【０００４】
ところが、放送受信装置がデジタル放送を受信して得られる映像データはデジタルデータであり、劣化させることなく複製することが可能である。そのため、従来、例えば特許文献１には、記録に用いた装置以外でデジタル著作物を再生できないようにする技術が開示されている。この特許文献１には、記録再生装置が機器固有情報を鍵として用いてデジタル著作物を暗号化して記録媒体装置に記録するとともに、暗号化したデジタル著作物に対して機器固有情報を鍵として用い復号するようにしたデジタル著作物保護システムが開示されている。
【特許文献１】特開２００３−１３１９５０号公報
【発明の開示】
【発明が解決しようとする課題】
【０００５】
しかしながら、従来の放送受信装置は、映像の再生に用いることのできる記録媒体との対応関係に制約があり、ディスクレコーダを用いて記録媒体に録画した番組を再生するときは、その番組が自装置で再生可能な番組かどうかを判定しなければならなかった。しかも、番組の再生に用いられる番組データは暗号化して記録媒体に記録されているため、上記の判定のためには一部の暗号を解読する復号処理を行った上で番組データを解析しなければならなかった。
【０００６】
そこで、本発明は上記課題を解決するためになされたもので、記録媒体に録画した番組を再生する際の処理負担を軽減できるようにした放送受信装置およびそのような処理負担を軽減できるようにするための番組の記録再生方法を提供することを目的とする。
【課題を解決するための手段】
【０００７】
上記課題を解決するため、本発明は、放送波から所望の番組データを受信するチューナと、チューナにより受信した番組データを自装置固有の装置コードと関連付けて記録媒体に記録させる記録制御手段と、記録媒体に記録されている番組データを用いて番組を再生する番組再生手段と、番組再生手段が番組を再生する際に、番組データとともにその番組データに関連付けられている装置コードを記録媒体から読取る読取手段と、その読取手段が記録媒体から読取った読取装置コードを装置コードと比較して、番組データについての番組再生手段による再生可否を判定する判定手段とを有する放送受信装置を特徴とする。
【０００８】
また、本発明は、放送波から所望の番組データを受信するチューナと、記録媒体に記録されている番組データを用いて番組を再生する番組再生手段とを備えた放送受信装置に適用される番組の記録再生方法であって、チューナにより受信した番組データを自装置固有の装置コードと関連付けて記録媒体に記録させ、番組再生手段が番組を再生する際に、番組データとともにその番組データに関連付けられている装置コードを前記記録媒体から読取り、記記録媒体から読取った読取装置コードを装置コードと比較して、番組データについての番組再生手段による再生可否を判定する番組の記録再生方法を提供する。
【発明の効果】
【０００９】
以上詳述したように、本発明によれば、記録媒体に録画した番組を再生する際の処理負担を軽減できるようにした放送受信装置およびそのような処理負担を軽減できるようにするための番組の記録再生方法が得られる。
【発明を実施するための最良の形態】
【００１０】
以下、本発明の実施の形態について説明する。なお、同一要素には同一符号を用い、重複する説明は省略する。
【００１１】
図１は、本発明の実施の形態に係るデジタル放送受信装置１１，１５１と、これらに接続されるディスクレコーダとしてのハードディスク装置（ＨＤＤ：Hard  Disk  Drive）２５とを示す図である。
【００１２】
デジタル放送受信装置１１，１５１はそれぞれＨＤＤ２５が接続されているときに、それぞれが放送波から受信した番組データ（後述するタイトルデータ２００）をＨＤＤ２５のハードディスクに記録して番組の録画を行う。なお、デジタル放送受信装置１５１はデジタル放送受信装置１１と同じ構成を有するので、以下の説明は、デジタル放送受信装置１１を中心にして行う。
【００１３】
次に、図２は、デジタル放送受信装置１１と、デジタル放送受信装置１１を中心として構成されるネットワークシステム９０の構成を示すブロック図である。
【００１４】
デジタル放送受信装置１１は図２に示すように、キャビネット１２と、キャビネット１２を起立させて支持する支持台１３とを有している。キャビネット１２は液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１５】
デジタル放送受信装置１１は映像を表示する映像表示手段としての液晶表示装置１４によって映像を表示する映像表示装置であって、後述するチューナ４５などが放送波から受信する番組データまたはＨＤＤ２５から読み取られる番組データを用いて映像を表示する。
【００１６】
デジタル放送受信装置１１は、例えばＳＤ（Secure  Digital）メモリカード、ＵＳＢメモリ等のメモリカード１９（図３参照）が着脱可能となっており、このメモリカード１９を用いて番組や写真等の記録再生が行われるようになっている。
【００１７】
そして、デジタル放送受信装置１１は、ＬＡＮ（Local  Area  Network）端子２１を有している。ＬＡＮ端子２１は、イーサネットを用いた一般的なＬＡＮ対応ポートとして使用される。このＬＡＮ端子２１は、例えばハブ２６を介して、ＬＡＮ対応のＨＤＤ２５が接続される。そのほか、図示しないＰＣ（Personal  Computer）、ＨＤＤ内蔵のＤＶＤ（Digital  Versatile  Disk）レコーダ等の機器が接続され、これらの機器と情報伝送を行なうために使用される。
【００１８】
次に、図３を参照してデジタル放送受信装置１１の内部の構成について説明する。図３はデジタル放送受信装置１１の内部の主要な構成を示すブロック図である。
【００１９】
デジタル放送受信装置１１は、入力端子４４，４９、チューナ４５，５０，５２およびＰＳＫ（Phase  Shift  Keying）復調器４６を有している。また、デジタル放送受信装置１１は、信号処理部４７、ＯＦＤＭ（Orthogonal  Frequency  DivisionMultiplexing）復調器５１、アナログ復調器５３、グラフィック処理部５４、音声処理部５５、ＯＳＤ信号生成部５７および映像処理部５８を有している。
【００２０】
入力端子４４には、ＢＳ／ＣＳデジタル放送受信アンテナ４３が捕らえた衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選択して受信する。
【００２１】
このチューナ４５で選局された放送信号はＰＳＫ復調器４６に供給される。ＰＳＫ復調器４６はデジタルの映像信号及び音声信号の復調処理を行い、信号処理部４７に出力する。
【００２２】
入力端子４９には、地上放送受信アンテナ４８が捕らえた地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選択して受信する。
【００２３】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００２４】
また、入力端子４９には、地上放送受信アンテナ４８が捕らえた地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選択して受信する。
【００２５】
このチューナ５２で選局された放送信号はアナログ復調器５３に供給される。アナログ復調器５３は、アナログの映像信号及び音声信号の復調処理を行い、信号処理部４７に出力する。
【００２６】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００２７】
また、信号処理部４７には、複数（図示の場合は４つ）の入力端子５６ａ，５６ｂ，５６ｃ，５６ｄが接続されている。これら入力端子５６ａ〜５６ｄは、外部装置としての図示しないＤＶＤレコーダなどから、アナログの映像信号及び音声信号を入力可能とするものである。
【００２８】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００２９】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３０】
グラフィック処理部５４から出力されたデジタルの映像信号は、映像処理部５８に供給される。この映像処理部５８は、入力されたデジタルの映像信号を、液晶表示装置１４で表示可能なフォーマットの映像信号に変換した後、液晶表示装置１４に出力する。液晶表示装置１４は、映像信号を用いて映像を表示する。これらの信号処理部４７、グラフィック処理部５４および映像処理部５８によって映像信号が再生され、これらが映像再生手段を構成している。なお、映像処理部５８はアナログ映像信号を出力端子５９ａを介して外部に導出する。
【００３１】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００３２】
そして、デジタル放送受信装置１１は、制御部６０と、カードホルダ６６および各種インターフェース（カードＩ／Ｆ６５，通信Ｉ／Ｆ６８）を有している。
【００３３】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００３４】
ＣＰＵ６１はＲＯＭ６２に記憶されているプログラムにしたがい各種手段（記録制御手段、判定手段）として作動する一方、他の構成要素との信号の入出力を行い、デジタル放送受信装置１１全体の動作制御を行う。
【００３５】
例えば、ＣＰＵ６１は通信Ｉ／Ｆ６８を介して番組データをＨＤＤ２５に出力して、ＨＤＤ２５のハードディスクに記録させる記録制御手段としての動作を行う。また、ＨＤＤ２５のハードディスクに記録されている番組データを後述する装置管理ＩＤ２０２とともに読み取り、読み取った装置管理ＩＤ２０２（読取装置管理ＩＤ）を用いて後述する再生可否判定を行う判定手段としての動作、信号処理部４７、グラフィック処理部５４、映像処理部５８などに指示して映像信号を再生させる再生制御手段としての動作も行う。
【００３６】
ＲＯＭ６２は、主としてＣＰＵ６１が実行する制御プログラムを格納している。ＲＡＭ６３は、ＣＰＵ６１に作業エリアを提供する。
【００３７】
不揮発性メモリ６４は、図４（ａ）に示すように、装置管理ＩＤ９１，ディスク鍵９２およびデバイス鍵９３が格納され、装置コード記憶手段としての機能を有している。
【００３８】
装置管理ＩＤ９１はデジタル放送受信装置１１に固有のデータであって、自装置固有の装置コードとして用いられ、例えば、ＭＡＣ(Media  Access  Control)アドレスを用いることができる。また、装置管理ＩＤ９１は自装置固有の製造番号を用いることもできる。この装置管理ＩＤ９１はデジタル放送受信装置１１の製造時に不揮発性メモリ６４に格納されている。
【００３９】
また、装置管理ＩＤ９１はＨＤＤ２５から読取られた読取装置管理ＩＤ２０２と再生可否判定を行うときに照合される。
【００４０】
ディスク鍵９２は、デジタル放送受信装置１１に接続されるＨＤＤ２５に固有のデータであって、後述するタイトル鍵テーブル２０４を暗号化および復号化するときに用いられる。デバイス鍵９３は、デジタル放送受信装置１１に固有のデータであって、ディスク鍵９２で暗号化されたタイトル鍵テーブル２０４を暗号化および復号化するときに用いられる。
【００４１】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４２】
また、制御部６０は、通信Ｉ／Ｆ６８を介してＬＡＮ端子２１に接続されている。これにより、制御部６０は、ＬＡＮ端子２１に接続されたＨＤＤ２５などの各装置と、通信Ｉ／Ｆ６８を介して情報伝送を行うことができる。
【００４３】
（動作内容の説明）
次に、以上の構成を有するデジタル放送受信装置１１が実行する記録再生動作の動作内容について説明する。本実施の形態において、記録再生動作とは、ＨＤＤ２５のハードディスクに番組データを記録させるための制御動作およびＨＤＤ２５のハードディスクに記録されている番組データを用いて番組を再生するための制御動作を意味している。
【００４４】
また、詳しくは後述するが、ＨＤＤ２５にはデジタル放送受信装置１１，１５１が双方とも接続され、記録再生動作によって後述するタイトルデータ２００が記録されるとともに、タイトルデータ２００を用いて番組が再生されるものとしている。
【００４５】
ここで、タイトルデータ２００は、図４（ｂ）に示すように、番組データ２０１と、装置管理ＩＤ２０２と、鍵管理ＩＤ２０３とを有し、番組データ２０１に装置管理ＩＤ２０２と鍵管理ＩＤ２０３とが関連付けて記録されている。
【００４６】
番組データ２０１は、図８（ｂ）に示すように、タイトル名２０４ａと、番組を再生するための映像データ２０５とを有し、録画した番組ごとのファイルとして構成されている。図８（ｂ）では、装置管理ＩＤ２０２として、デジタル放送受信装置１１を示す“ｄｖ０１１”と、デジタル放送受信装置１５１を示す“ｄｖ１５１”とが示されている。映像データ２０５はそれぞれ対応するタイトル鍵で暗号化されている。
【００４７】
また、ＨＤＤ２５には、タイトル鍵テーブル２０４も記録されている。タイトル鍵テーブル２０４は図８（ａ）に示すように、タイトル名２０４ａと、タイトル鍵データ部２０４ｂとを有し、ＨＤＤ２５に録画されている各タイトル（録画された番組の映像データ）と、各タイトルを暗号化したタイトル鍵とを対応付けて記憶したものである。このタイトル鍵テーブル２０４は前述のディスク鍵９２で暗号化され、さらにデバイス鍵９３で暗号化されてＨＤＤ２５に記録されている。
【００４８】
そして、デジタル放送受信装置１１は、ＣＰＵ６１が後述する記録処理部１００、暗号処理部１０１および再生処理部１０２としての動作を行って、記録再生動作を実現している。
【００４９】
ここで、図５は、デジタル放送受信装置１１における記録再生動作に関わる構成を図示したブロック図である。
【００５０】
ＨＤＤ２５のハードディスクに番組データを記録する場合の動作について説明する。この場合、まず、記録処理部１００が暗号処理部１０１に対して記録準備要求ｒ１を行う。この記録準備要求ｒ１を受けて、暗号処理部１０１が番組データを暗号化するためのタイトル鍵およびその管理用ＩＤ（鍵管理ＩＤ）を生成する。暗号処理部１０１はこのタイトル鍵および鍵管理ＩＤの生成にあわせて不揮発性メモリ６４から装置管理ＩＤ９１を読出し、さらに出力ｔ１を行って鍵管理ＩＤおよび装置管理ＩＤ９１を記録処理部１００に出力する。
【００５１】
続いて、記録処理部１００は出力ｒ２を行い、ＨＤＤ２５のハードディスクに記録しようとする番組データを暗号処理部１０１に出力する。すると、暗号処理部１０１は、暗号化手段としての動作を行い、受け取った番組データを生成したタイトル鍵を用いて暗号化し、さらに出力ｔ２を行ってその暗号化した番組データを記録処理部１００に出力する。
【００５２】
そして、記録処理部１００は記録制御手段として作動して、ＨＤＤ２５に対する記録制御ｒ３を行い、暗号化された番組データ（暗号化番組データ）を装置管理ＩＤ９１および鍵管理ＩＤと関連付けてハードディスクに記録させる。
【００５３】
これにより、ＨＤＤ２５のハードディスクには、前述のタイトルデータ２００が記録される。この場合、番組データは番組データ２０１として記録され、装置管理ＩＤ９１は装置管理ＩＤ２０２として、鍵管理ＩＤは鍵管理ＩＤ２０３としてそれぞれ記録される。
【００５４】
その後、記録処理部１００は記録終了通知ｒ４を行い、暗号処理部１０１に番組データの記録終了を通知する。
【００５５】
次に、ＨＤＤ２５に記録されている番組データを用いて番組を再生する場合の動作について説明する。この場合、まず、再生処理部１０２が読取手段としての動作を行って、ＨＤＤ２５のハードディスクからのデータ読出ｐ１を行う。このデータ読出ｐ１では、番組の再生に用いられる番組データ２０１およびその番組データ２０１と関連付けて記録されている装置管理ＩＤ２０２および鍵管理ＩＤ２０３が読み出される。
【００５６】
続いて、再生処理部１０２は再生準備通知ｐ２を行い、ＨＤＤ２５から読み取った装置管理ＩＤ２０２（これが読取装置コードに相当する）および鍵管理ＩＤを暗号処理部１０１に通知する。
【００５７】
この再生準備通知ｐ２を受けて、暗号処理部１０１が通知された装置管理ＩＤ２０２を用いるなどして、後述する再生可否判定および復号処理を行い、再生可否の判定結果を再生処理部１０２に通知する通知ｔ３を行う。
【００５８】
一方、再生処理部１０２は暗号処理部１０１から通知される判定結果にしたがい、再生可能な場合は出力ｐ３を行って暗号化されている番組データ２０１を暗号処理部１０１に出力する。
【００５９】
暗号処理部１０１は、番組データ２０１が再生処理部１０２から出力されたときは通知ｐ２で通知されていた鍵管理ＩＤに対応するタイトル鍵を用いて番組データ２０１を復号し、復号した番組データ２０１を再生処理部１０２に出力する出力ｔ４を行う。
【００６０】
また、再生処理部１０２が暗号処理部１０１から出力される番組データ２０１を用いた信号処理部４７等による番組の再生を制御し、その再生が終了すると通知ｐ５を行い、再生が終了したことを暗号処理部１０１に通知する。
【００６１】
そして、上記一連の動作において、暗号処理部１０１が再生可否判定および復号処理を図６に示すフローチャートにしたがって行い、再生処理部１０２が再生制御を図７に示すフローチャートにしたがって行う。
【００６２】
すなわち、暗号処理部１０１は、再生準備通知ｐ２を受けてまず不揮発性メモリ６４から装置管理ＩＤ９１を読み出す（Ｓ１）。続いて、暗号処理部１０１は、不揮発性メモリ６４から読み取った装置管理ＩＤ９１を、再生処理部１０２から通知された読取装置コードとしての装置管理ＩＤ２０２と比較する照合処理を行い（Ｓ２）、両者が一致したか否かを続くＳ３で判定する。暗号処理部１０１は装置管理ＩＤ９１と装置管理ＩＤ２０２とが一致したときはＳ４に動作を進め、そうでなければＳ８に動作を進める。
【００６３】
暗号処理部１０１は、Ｓ４に動作を進めると、番組データについて他の再生不可の原因（例えば、例えば、ＨＤＤ２５に記録されている番組データが破損していたなど）がないかどうかを判定する。暗号処理部１０１は、他の再生不可の原因があるときはＳ８に動作を進めるが、なければＳ５に動作を進め、再生可を示す判定結果を生成して再生処理部１０２に通知する（上記通知ｔ３）。
【００６４】
また、暗号処理部１０１は、続くＳ６で再生処理部１０２からの番組データの入力があるまで待機し、番組データの入力あればＳ７に動作を進め、通知ｐ２で通知されていた鍵管理ＩＤに対応するタイトル鍵を用いて番組データを復号すると、再生可否判定および復号処理を終了する。
【００６５】
また、Ｓ３からＳ８に動作を進めると、暗号処理部１０１は、エラーコード生成手段としての動作を行い、再生不可の理由に応じたエラーコードを含む判定結果を生成して再生処理部１０２に通知する（上記通知ｔ３）。この場合、暗号処理部１０１は、装置管理ＩＤ９１と装置管理ＩＤ２０２との不一致の場合は、放送波から番組データを受信した装置と再生に用いる装置とが相違する装置相違（例えば、デジタル放送受信装置１１からＨＤＤ２５に記録した番組データ２０１を用いてデジタル放送受信装置１５１が番組を再生する場合）を示すエラーコードを生成し、それ以外の理由があるときはその内容に応じたエラーコードを生成する。
【００６６】
一方、再生処理部１０２が再生制御を行う場合、図７に示すように、通知ｔ３で通知された判定結果が再生可であるかどうかを判定し（Ｓ１０）、再生可であるときはＳ１１に動作を進め、そうでなければＳ１２に動作を進める。Ｓ１１に動作を進めると、再生処理部１０２は番組データ２０１を出力し（上記出力ｐ３）、Ｓ１２では、エラーコードに応じたメッセージの表示制御を行う。
【００６７】
以上のようにして、記録再生動作を行うことにより、デジタル放送受信装置１１では、番組データをＨＤＤ２５のハードディスクに記録するときにデジタル放送受信装置１１に固有の装置管理ＩＤ９１をその番組データと関連付けて記録する一方、番組を再生するときは、ＨＤＤ２５に関連付けて記録した装置管理ＩＤ２０２を読み取り、それを不揮発性メモリ６４に記憶されている装置管理ＩＤ９１と照合している。
【００６８】
このようにすることで、暗号処理部１０１が再生処理部１０２から再生準備通知ｐ２を受けた時点で再生可否を判定できるので、暗号化されている番組データを復号することなく番組の再生可否を判定できる。そのため、デジタル放送受信装置１１では、録画した番組を再生する際の処理負担を軽減することができる。
【００６９】
ここで、従来のデジタル放送受信装置における記録再生動作に関わる構成を図示すると、図９のようになっている。従来のデジタル放送受信装置では、上記出力ｔ１、再生準備通知ｐ２の代わりに出力ｔ１１、再生準備通知ｐ１２が行われる点がデジタル放送受信装置１１の場合と異なる。出力ｔ１１では、鍵管理ＩＤが記録処理部１００に出力され、再生準備通知ｐ１２では、鍵管理ＩＤが通知される。いずれも、装置管理ＩＤの出力および通知はされていない。
【００７０】
また、暗号処理部１０１は、装置管理ＩＤ９１を用いた上記のような再生可否判定（Ｓ２、Ｓ３）を行うことなく番組データを復号し、再生処理部１０２が出力ｔ４で出力される番組データを解析して再生可否を判定しなければならない。そのため、原理上復号できない番組データに対しても、暗号を解読する復号処理が必要とされてしまう。
【００７１】
しかしながら、本実施の形態に係るデジタル放送受信装置１１では、前述のように、再生可否判定（Ｓ２、Ｓ３）を行うことにより、暗号を解読できない番組と、解読できる番組とを区別でき、原理上復号できない番組データについては、実際に復号して番組データの解析を行う処理を省略することが可能であり、したがって処理負担を軽減することができる。
【００７２】
また、デジタル放送受信装置１１では、再生可否判定の結果を示すエラーコードを生成しているので、再生可否の理由が明らかになり、装置相違による再生不可なのか、そうでないのかを明らかにすることもできる。
【００７３】
上記の実施形態では、放送受信装置として液晶表示装置１４を備えたテレビジョン受信装置としてのデジタル放送受信装置１１を例にとって説明しているが、本実施の形態は、ＤＶＤプレーヤやＤＶＤレコーダといったチューナを備え映像データの記録や再生を行える放送受信装置にも適用することもできる。
【００７４】
また、デジタル放送受信装置１１にディスクレコーダとしてＨＤＤが接続される場合を例にとって説明しているが、本発明は、ＤＶＤ−Ｒ、ＤＶＤ−ＲＡＭなどの光ディスクを用いるディスクレコーダが接続される場合についても適用することができる。
【００７５】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７６】
【図１】本発明の実施の形態に係る２つのデジタル放送受信装置と、これらに接続されるディスクレコーダとしてのＨＤＤとを示す図である。
【図２】ネットワークシステムの構成を示すブロック図である。
【図３】デジタル放送受信装置の内部の主要な構成を示すブロック図である。
【図４】デジタル放送受信装置またはＨＤＤの内部構成を示す図で、（ａ）は不揮発性メモリ、（ｂ）はＨＤＤを示す図である。
【図５】デジタル放送受信装置における記録再生動作に関わる構成を図示したブロック図である。
【図６】再生可否判定および復号処理の動作手順を示すフローチャートである。
【図７】再生制御の動作手順を示すフローチャートである。
【図８】ＨＤＤに記録されているデータの構成の一例を示す図で、（ａ）はタイトル鍵テーブル、（ｂ）はタイトルデータを示す図である。
【図９】従来のデジタル放送受信装置における記録再生動作に関わる構成を図示したブロック図である。
【符号の説明】
【００７７】
１１，１５１…デジタル放送受信装置、２１…第１のＬＡＮ端子、２５…ＨＤＤ、６０…制御部、６１…ＣＰＵ、９１，２０２…装置管理ＩＤ、２０１…番組データ、１００…記録処理部、１０１…暗号処理部、１０２…再生処理部。
【図１】
2009055555.tif 000003
【図２】
2009055555.tif 000004
【図３】
2009055555.tif 000005
【図４】
2009055555.tif 000006
【図５】
2009055555.tif 000007
【図６】
2009055555.tif 000008
【図７】
2009055555.tif 000009
【図８】
2009055555.tif 000010
【図９】
2009055555.tif 000011